(57)【特許請求の範囲】
【請求項１】
管路における付属装置を装着する分岐管端をフランジに形成し、
所定の広さの弁開口部を備え、上下にフランジ部を設けて分岐管に連結する開閉弁装置と、
前記開閉弁装置に連結或いは一体に形成され、所定の広さの透孔部、及び下記の付属装置を取り付けるために、透孔部外周位置に立設した筒状部の内周に設けた装置取付部、及び前記装置取付部の外周側に設けた所定の着脱器具を装着する密封取付部を備えた連結体と、
主要部が弁開口部及び透孔部を通して分岐管路内に挿入できる大きさで、前記挿入状態で前記装置取付部に水密に装着するための取付部、及び前記着脱器具による着脱操作を可能とする操作部を備えた付属装置と、
で構成されることを特徴とする管路の分岐管内への付属装置の装着構造。
【請求項２】
連結体が、前記開閉弁装置の上方フランジ部と対応するベース部を備えて開閉弁装置に連結され、前記ベース部中央に筒状部を立設し、
筒状部外周又はベース部に密封取付部を設けてなる請求項１記載の管路の分岐管内への付属装置の装着構造。
【請求項３】
開閉弁装置の上方フランジ部の中央に筒状部を立設し、筒状部外周又は前記上方フランジ部に密封取付部を設けて連結体を開閉弁装置と一体に形成してなる請求項１記載の管路の分岐管内への付属装置の装着構造。
【請求項４】
付属装置に、外部操作で管路内と連通する着脱用開放弁機構を備えてなる請求項１乃至３記載の何れかの管路の分岐管内への付属装置の装着構造。
【請求項５】
開閉弁装置又は連結体に、管路内液体の放出弁機構を付設してなる請求項１乃至３記載の何れかの管路の分岐管内への付属装置の装着構造。
【請求項６】
装置取付部を、透孔部外縁面と、筒状部の上部内方に間欠的に突出させた抜け止め突部と、抜け止め突部間の切欠個所の差入部とで形成し、付属装置の取付部を、差入部からの差し入れが可能とした外周突部を備え、付属装置の差し入れ回動で、透孔部外縁面と抜け止め部突部間に密嵌合する構成とした請求項１乃至５記載の何れかの管路の分岐管内への付属装置の装着構造。
【請求項７】
密封取付部を、着脱器具を被冠回動で装着可能とするために、筒状部の外周、ベース部又は上方フランジの外周に間欠的に突出させた係止突条で形成してなる請求項１乃至６記載の何れかの管路の分岐管内への付属装置の装着構造。
【請求項８】
開閉弁装置がボール弁機構を採用してなる請求項１乃至７記載の何れかの管路の分岐管内への付属装置の装着構造。
【請求項９】
付属装置がフロート機構を採用した空気抜き装置で、フロート室が弁開口部及び透孔部を通して分岐管路内に挿入して装着してなる請求項１乃至８記載の何れかの管路の分岐管内への付属装置の装着構造。
【請求項１０】
管路における付属装置を装着する分岐管端をフランジに形成し、所定の広さの弁開口部を備え、上下にフランジ部を設けて分岐管に連結する開閉弁装置と、前記開閉弁装置に連結或いは一体に形成され、所定の広さの透孔部、及び下記の付属装置を取り付けるために透孔部外周位置に立設した筒状部の内周に設けた装置取付部、及び前記装置取付部の外周側に設けた所定の着脱器具を装着する密封取付部を備えた連結体と、主要部が弁開口部及び透孔部を通して分岐管路内に挿入できる大きさで、前記挿入状態で前記装置取付部に水密に装着するための取付部、及び前記着脱器具による着脱操作を可能とする操作部を備えた付属装置とで構成される管路の分岐管内への付属装置の装着構造に使用する器具であって、前記付属装置を収納できる容積を備えた下方開口の容器形状で、下方開口部内周に前記連結体の密封取付部に対応する装着部を設けた密封本体と、密封本体を所定箇所に装着した状態で、付属装置の操作部と連結して連結体への付属装置の着脱操作を行う動作部とを備えてなることを特徴とする管路の分岐管内への付属装置の着脱器具。
【請求項１１】
動作部に付属装置の着脱用開放弁機構の開放操作を行う開放操作部を設けてなる請求項１０記載の管路の分岐管内への付属装置の着脱器具。
【請求項１２】
密封本体に、開閉弁装置又は連結体に付設した管路内液体の放出弁機構と連結する管路内圧力導入部を設けてなる請求項１０記載の管路の分岐管内への付属装置の着脱器具。
【請求項１３】
密封本体に排出弁機構を付設してなる請求項１０乃至１２記載の何れかの管路の分岐管内への付属装置の着脱器具。
【請求項１４】
動作部が、付属装置の操作部と連結する連結部と、前記連結部と接続して密封本体の外方に突出させて前記連結部を動作させる操作ハンドルとで構成した手動機構である請求項１０乃至１３記載の何れかの管路の分岐管内への付属装置の着脱器具。
【発明の詳細な説明】
【技術分野】
【０００１】
本発明は、冷却水供給管、及び原料（液体）供給管等の各種プラントの管路、その他水道本管等の管路の分岐管内に装着される空気抜き装置等の付属装置の装着構造に関するものである。
【背景技術】
【０００２】
液体の流通路である管路内に存在する空気は、液体の流れを阻害する大きな要因となる。この対策として管路中高所に配管された部分に立上分岐管を設け、当該立上分岐管に空気抜き装置を装着しているものである。前記の空気抜き装置は、フロート弁機構を利用して、管内の空気を外気に放出する場合に、液体中に含まれるゴミ等の浮遊物も空気と一緒にフロート弁機構の弁筺内に流入してしまうもので、該弁筺の清掃が必要となる。しかも、この清掃は、管路の流れを停止することなく、当該装置を管内との連通を遮断した状態で行われなければならない。
【０００３】
この対応として、特許文献１（特開２００１−６５７３３号公報）に、当該装置と分岐管との間に開閉弁を介設し、開閉弁の操作で当該装置の着脱を可能としている構成が開示されている。
【０００４】
また特許文献２（特開２０００−３３７５４０号公報）には別の対応として、立上分岐管に固定される外筺と、該外筺内に回動可能に密嵌されて内部にフロートを配置する内筺と、弁口を有する内筺の蓋体とを備え、上記外筺と内筺の夫々に対応する透孔を穿設して、内筺の回動により透孔との位置関係を変化させて、内筺内と管路内との連通及び遮断状態を得るように構成した空気抜き装置が開示されており、特許文献３（特開平１０−２９９９２７号公報）には、更に前記の内筺又は外筺を上下動させて内筺内と管路内との連通及び遮断状態を得るように構成した空気抜き装置が開示されている。
【０００５】
また管路の立上分岐管に装着される種々の付属装置を、管路不断水で着脱する技術として、特許文献４（特開２００７−２３９８６０号公報）には、立上分岐管のフランジに、仕切弁及び付属装置部分の着脱駆動機構を備えた密閉収納ケースを装着し、密閉状態で付属装置部分を取り外し、密閉収納ケースが管路内流水で満たされた状態で付属装置を上方に移動させ、仕切弁を閉じて密閉収納ケース内を上下室に分断し、密閉収納ケース内の上室から付属装置を取り出す手段が開示されている。
【０００６】
また特許文献５（特開２００５−２６５０８７号公報）には、付属装置の開閉弁を通して、軸部材の先端に設けた止水弁を立上分岐管の基部に差し入れて、分岐管への流れを閉鎖し、止水弁を仮固定している間に開閉弁を交換する手法が開示されている。
【先行技術文献】
【特許文献】
【０００７】
【特許文献１】特開２００１−６５７３３号公報。
【特許文献２】特開２０００−３３７５４０号公報。
【特許文献３】特開平１０−２９９９２７号公報。
【特許文献４】特開２００７−２３９８６０号公報。
【特許文献５】特開２００５−２６５０８７号公報。
【発明の概要】
【発明が解決しようとする課題】
【０００８】
付属装置が、前記特許文献１に開示されているように、開閉弁を介して立上分岐管に連結されている空気抜き装置の場合には、開閉弁の開閉操作で付属装置である空気抜き装置の、着脱が容易であり、内部清掃も容易に行うことができるが、立上分岐管からの分岐のために寒冷地においては凍結という問題が生ずる。
【０００９】
これに対して特許文献２，３に示されている空気抜き装置のように、立上分岐管内に設置して本管の流れの影響を受ける状態に組み込むと、寒冷期における装置の凍結が防止されるが、弁機構自体に内外内筺遮断構造を必要として、構造自体が複雑になり製造コストが高くなる問題がある。
【００１０】
単純構造の空気弁を不凍結装置として、立上分岐管内に装着することも可能であるが、その内部清掃や補修等の保守作業に際しては、特許文献４，５に示されているような、複雑な着脱装置と着脱作業を必要とし、定期的に保守作業を必要とする空気抜き装置においては現実的ではない。
【００１１】
そこで本発明は、簡易な構造の空気抜き装置やその他の付属装置を分岐管内に、付属装置の着脱を容易にする新規な付属装置の装着構造及び付属装置の着脱方法並びにその着脱器具を提案したものである。
【課題を解決するための手段】
【００１２】
本発明に係る管路の分岐管内への付属装置の装着構造は、開閉弁装置と、連結体と、付属装置で構成されるものであり、分岐管端をフランジに形成し、開閉弁装置が、所定の広さの弁開口部を備え、上下にフランジ部を設けて分岐管に連結されるものであり、連結体は、前記開閉弁装置と一体に形成されるか或いは連結されるもので、所定の広さの透孔部と、付属装置を取り付けるために、透孔部外周位置に立設した筒状部の内周に設けた装置取付部と、前記装置取付部の外周側に設けられた所定の着脱器具を装着する密封取付部を備えてなり、付属装置は、その主要部が弁開口部及び透孔部を通して分岐管路内に挿入できる大きさで、前記挿入状態で前記装置取付部に水密に装着するための取付部と、着脱器具による着脱操作を可能とする操作部とを備えたものである。
【００１３】
前記構成による管路における分岐管への付属装置の装着は、開閉弁装置を分岐管に連結し、更に開閉弁装置と連結体が一体に形成されていない構成では、連結体を前記開閉弁装置に連続して装着し、付属装置を、その主要部を開閉弁装置の弁開口部及び連結体の透孔部を通して分岐管路内に挿入し、装置取付部に水密に装着してなるもので、付属装置の主要部は、本管流の影響を受ける分岐管内に収められることになり、不凍結装置として機能するものである。
【００１４】
本発明に係る付属装置の着脱器具は、前記の管路の分岐管内への付属装置の装着構造に使用する器具であって、付属装置を収納できる容積を備えた下方開口の容器形状で、下方開口部内周に前記連結体の密封取付部に対応する装着部を設けた密封本体と、密封本体を所定箇所に装着した状態で、付属装置の操作部と連結して連結体への付属装置の着脱操作を行う動作部とを備えてなるものである。
【００１５】
本発明に係る付属装置の着脱手段は、前記の付属装置の装着構造を採用して分岐管に装着した付属装置を、前記の着脱器具を使用して行うものである。
【００１６】
その手順は、主要部を分岐管内に収まるように連結体に装着した付属装置に対して、付属装置の露出部分を被冠するように密封本体を連結体の密封取付部に連結して付属装置の上方空間を密閉状態とした後に、動作部を付属装置の操作部に連結して操作し、付属装置を装置取付部から外すと共に、付属装置を分岐管から引き抜いて取り出し、当該密閉状態のまま開閉弁装置を閉じ、その後着脱器具及び付属装置を管路から分離し、また開閉弁装置を閉じた状態で、付属装置を内装した着脱器具を密封取付部に装着し、しかる後開閉弁装置を動作させて弁を開口し、弁開口部から付属装置の主要部を分岐管内に挿入し、前記挿入状態で付属装置を装置取付部に水密に装着してなることを特徴とするものである。
【００１７】
従って着脱器具を使用することによって、開閉弁装置を介しての内外空間（分岐管内と付属装置の上方空間）が外気に対して密閉状態となるので、付属装置の着脱は、管路の流れを遮断することなく不断水で実施することができるものである。
【発明の効果】
【００１８】
本発明の構成は上記の通りで、分岐管に装着する空気抜き装置等の種々の付属装置を、その主要部を分岐管内に挿入した状態で装着して不凍結状態で使用することができると共に、前記付属装置を簡易な着脱器具を使用して簡単な作業で分岐管から着脱することができるので、特に空気抜き装置のように定期的に内部清掃が必要な付属装置においては、装置自体に簡易な構造を採用できるものである。
【図面の簡単な説明】
【００１９】
【図１】本発明の第一の実施例を示す断面図（付属装置装着時を示す）。
【図２】同付属装置（空気抜き装置）の説明図（Ａは斜視図、Ｂは正面図）。
【図３】同図（拡大断面図）。
【図４】同連結体の説明図（Ａは斜視図、Ｂは一部切断正面図）。
【図５】同着脱器具の全体斜視図。
【図６】同着脱器具の動作部の操作部の斜視図。
【図７】同着脱器具の動作部の連結部の説明図（下方斜視図）。
【図８】同着脱器具の断面図。
【図９】同付属装置着脱手順の説明図（取り外し開始時）。
【図１０】同図（取り外し作業中）。
【図１１】同図（取り外し終了状態）。
【図１２】本発明の第二の実施例の付属装置（空気抜き装置）の説明図（斜視図）。
【図１３】同連結体の説明図（Ａは斜視図、Ｂは一部切断正面図）。
【図１４】同着脱器具の説明図（Ａは一部裁断斜視図、Ｂは断面図）。
【図１５】同付属装置着脱手順の説明図（取り外し開始時）。
【図１６】同図（取り外し作業中）。
【図１７】同連結体の別例（第三実施例）の説明図（付属装置を装着した通常時を示す）。
【図１８】同図１７の構造において着脱器具を装着した説明図（取り外し作業中）。
【図１９】同連結体を開閉弁装置と一体に形成した別例（第四実施例）の説明図（付属装置を装着した通常時を示す）。
【図２０】同図１９の構造において着脱器具を装着した説明図（取り外し開始時）。
【発明を実施するための形態】
【００２０】
次に本発明の実施形態について説明する。実施形態としての第一の実施例は図１乃至１１に示したもので、付属装置として空気抜き装置を採用した例であり、本管（管路）ａから立ち上り形成された分岐管ｂの管端のフランジｃに、開閉弁装置１、及び連結体２、及び付属装置（空気抜き装置）３を装着する構造を示したものである。
【００２１】
開閉弁装置１は、上下に連結用のフランジ部１１，１２を備え、下方フランジ部１１をフランジｃに連結し、上方フランジ部１２に、後述する連結体２を装着するものである。
【００２２】
前記の上下フランジ部１１，１２間には、横軸回動するボール弁体１３を内装し、外部に付設した駆動操作部１４で、ボール弁体１３の開閉作動を行うようにしたもので、特に弁開口部１５は出来るだけ大径に形成するものである。
【００２３】
連結体２は、前記上方フランジ部１２と対応するベース部２１と、前記ベース部２１の中央に筒状部２２を立設してなり、ベース部２１には上方フランジ部１２と連結するためのボルト孔２１１を穿設し、筒状部２２の内方の底面に、所定の大きさの透孔部２３を穿設し、筒状部２２の内周面には付属装置を取り付けるための装置取付部２４を設け、筒状部２２の外周には、密封取付部２５を設けてなるものである。尚透孔部２３の内周面には付属装置（空気抜き装置）３を装着した際に、透孔部２３における内外間の水密性を確保するための水封パッキン２３１を設けているものである。
【００２４】
装置取付部２４は、透孔部外縁面２４１と、筒状部２２の上部内方に間欠的に突出させた抜け止め突部２４２と、抜け止め突部２４２間の切欠個所の差入部２４３とで構成されるものである。また密封取付部２５は、筒状部２２の外周面に適宜間隔で係止突条を周設して形成したものである。
【００２５】
付属装置（空気抜き装置）３は、フロート機構による空気抜き装置であり、筒状のフロート室３１と、装着フランジ部３２と、蓋体３３と、第一フロート３４と、第二フロート３５を備えてなる。
【００２６】
フロート室３１は、本発明の付属装置の主要部に該当するもので、前記の弁開口部１５及び透孔部２３に挿入できる外径を備えてなるもので、前記第一フロート３４及び第二フロート３５を内置すると共に、底面近傍と上方周面に空気導入孔３１１，３１２を設けたものである。
【００２７】
装着フランジ部３２は、フロート室３１の上方外周に突設したものであり、特に前記差入部２４３からの差し入れが可能であり、装置全体の回動動作によって抜け止め突部２４２の下方に入り込む外周突部３２１を備えたものである。
【００２８】
蓋体３３は、フロート室３１の上部開口を塞ぐものであり、中央に小透孔３３１を設けてなるもので、装着フランジ部３２に止着ボルト３６で固定してなり、この止着ボルト３６の対向する一対の止着ボルト３６ａは、上方に係止用軸部３６１と係止用軸部３６１の上方に連続して大径の係止用頭部３６２を設けて操作部としているものである。
【００２９】
また第一フロート３４は、フロート室３１の上方に配置され、蓋体３３の下面（フロート室３１の天井面）と当接することでフロート室３１と外気との遮断を実現しており（着脱用開閉弁機構の弁部に該当する）、前記の遮断を解除する構成として、小透孔３３１内に位置する突出部（着脱用開放弁機構の弁操作部となる）３４１と、前記突出部３４１を上下に貫通する空気孔部３４２を備え、第二フロート３５は、前記の空気孔部３４２の下開口部分を閉塞する位置に配置したものである。
【００３０】
而して前記の開閉弁装置１及び連結体２を使用しての空気抜き装置（付属装置）３の装着は、開閉弁装置１の下方フランジ部１１を分岐管ｂのフランジｃに連結し、更に連結体２のベース部２１を開閉弁装置１の上方フランジ部１２に連続して装着する。
【００３１】
更に空気抜き装置（付属装置）３は、フロート室（主要部）３１を連結体２の透孔部２３及び開閉弁装置１の弁開口部１５を通して分岐管ｂの管路内に挿入して装着するもので、この挿入に際して外周突部３２１を差入部２４３から差し入れ、更に全体を回動して外周突部３２１を抜け止め突部２４２の下方に移動させ、装着フランジ部３２の全体を、透孔部外縁面２４１と抜け止め突部２４２の間に密嵌するものである。尚透孔部外縁面２４１と対面する装着フランジ部３２の下面には、リングパッキン３２２を設けておき、前記した空気抜き装置（付属装置）３の装着時の水封を実現する水封パッキン２３１の補助機能を果たしたり、或いは代替機能を果たすようにしているものである。
【００３２】
従って空気抜き装置（付属装置）３は、分岐管ｂの管路内に装着されることになり、本管ａを流れる液体中の空気泡は分岐管路に入り、空気導入孔３１１，３１２の何れからフロート室３１に侵入すると、第二フロート３５が僅かに下降し、空気孔部３４２を通して外部に放出される。また大量の空気の放出が必要な場合には、第一フロート３４が下降して蓋体３３の小透孔３３１から一気に放出されるもので、従前の空気抜き装置と同様に機能すると共に、分岐管ｂの管路内に装着されることで不凍結装着が実現するものである。
【００３３】
本発明における前記構成の採用は、前記の空気抜き装置（付属装置）３の各種保守作業を行う際に、管路の流路を遮断することなく不断水で装置着脱を行うためのもので、下記の着脱器具４を使用することで実現するものである。
【００３４】
第一の実施例として示した着脱器具４は、密封本体４１と動作部４２を備えたもので、密封本体４１は、前記空気抜き装置（付属装置）３が収納できる大きさの下方開口の容器形状で、下方内周面に前記の密封取付部２５に対応した装着部（間欠突条）４１１を設け、下方部分及び上方部分に排出弁４１２，４１３を付設すると共に、内周面に動作部４２の上下動を行うための内ネジ面４１４としてなる。
【００３５】
動作部４２は、密封本体４１の上板を貫通する多重管及び軸を伝達機構として、付属装置３を分岐管内に出し入れを行う上下動のための機構と、付属装置３と動作部を連結する係止機構と、付属装置３の突出部（着脱用開放弁機構の弁操作部）３４１を操作する開放操作機構を備えるものである。
【００３６】
付属装置３を上下動させる機構は、前記内ネジ面４１４に螺合する作動周板４２１と、前記作動周板４２１に連結した連結管４２２と、連結管４２２の上端に連結した回転ハンドル４２３で構成され、付属装置３と連結する係止機構は、前記連結管４２２の内部に設けた二重操作管４２４と、二重操作管４２４のそれぞれと連結され作動周板４２１の下方に設けた半径方向に突出する係止板４２５と、二重操作管４２４のそれぞれの上端に連結した係止操作レバー４２６で構成される。
【００３７】
特に前記係止板４２５の回動方向の端面に平面視Ｕ状のＵ字溝４２７を設けており、２本の係止操作レバー４２６を開脚状態にした場合に、前記Ｕ字溝４２７の開口側が離れ（図７参照）、揃えて閉脚状態とした場合に、重なり合ったＵ字溝４２７で付属装置３の係止用軸部３６１と略一致する円孔が形成されるようにしたものである。また開放操作機構は、二重操作管４２４内を上下に貫通する開放操作杆４２８で構成されるものである。
【００３８】
分岐管ｂに装着した空気抜き装置（付属装置）３を分岐管ｂから取り外すには、前記の着脱器具４を使用するもので、はじめに密封本体４１の下方開口部分を付属装置３の上面部分を覆うように被せ、連結体２の密封取付部（係止突条）２５に装着部（間欠突条）４１１が衝突しないようにして、装着部４１１を密封取付部２５よりも下方に位置させ、当該状態で密封本体４１を回動して密封取付部２５に装着部４１１を係止する。
【００３９】
更に係止操作レバー４２６を開脚状態としてＵ字溝４２７が開いた状態とし、係止板４２５を付属装置３の係止用軸部３６１の位置まで下げる。当該状態で係止操作レバー４２６を閉脚位置に回動させると、係止用軸部３６１がＵ字溝４２７に入り込み係止板４２５で係止用軸部３６１を挟む。
【００４０】
次に上方排出弁４１３を僅かに開放した状態で、開放操作杆４２８を操作して突出部（着脱用開放弁機構の弁操作部）３４１を押し下げると、第一フロート３４と蓋体３３の下面との水封が解除され、小透孔３３１が開口することになる。この結果、管路内液体（水）は密封本体４１内に溢れ出し、密封本体４１内の空気は上方排出弁４１３から放出され、密封本体４１内は、管路内液体で満たされることになる。勿論上方排出弁４１３は適時閉塞する。
【００４１】
前記の状態では、管路内圧力と密封本体４１内の圧力が平衡し、空気抜き装置（付属装置）３に加わる管内圧力が緩和され、空気抜き装置（付属装置）３の回動動作に対する抵抗力が軽減されるので、２本の係止操作レバー４２６を一緒に回動操作して空気抜き装置（付属装置）３を回動させ、この回動操作で外周突部３２１を差入部２４３の位置まで移動させる（図９参照）。
【００４２】
そうすると装着フランジ部３２が、透孔部外縁面２４１と抜け止め突部２４２の間の密嵌状態が解除され、空気抜き装置（付属装置）３の取り出しが可能となるので、そのまま回転ハンドル４２３を回転操作すると、作動周板４２１が内ネジ面４１４に添って回転上昇し、これに伴って付属装置３は係止用頭部３６２を係止板４２５で吊り下げられた状態で上昇する。従って所定の回転ハンドル４２３の回転操作で、付属装置３を連結体２の外方へ引き抜いて取り出すことができる（図１０参照）。
【００４３】
そして開閉弁装置１を動作させて弁開口部１５を閉じ、下方排出弁４１２を開放して密封本体４１内の排水を行った後、密封本体４１を回動して連結体２から分離し、空気抜き装置（付属装置）３と共に、分岐管ｂから取り外すものである（図１１）。
【００４４】
空気抜き装置（付属装置）３は、係止操作レバー４２６を開脚状態とし着脱器具４から外し、清掃などの所定の保守作業を終えると、空気抜き装置（付属装置）３を取り外しの時と同様に係止操作レバー４２６の操作で密封本体４１内に組み入れ、密封本体４１を連結体２の密封取付部２５に装着し、しかる後開閉弁装置１を動作させて開放し、密封本体４１内を管路内液体で満たした後、空気抜き装置（付属装置）３のフロート室（主要部）３１を回転ハンドル４２３の回転操作で透孔部２３及び弁開口部１５を通して分岐管ｂ内に挿入し、係止操作レバー４２６の回動操作で空気抜き装置（付属装置）３の装着フランジ部３２を所定位置に嵌合し、空気抜き装置（付属装置）３の装着を行う。
【００４５】
空気抜き装置（付属装置）３の装着後は、密封本体４１内の排水を行って、係止操作レバー４２６を開脚状態とし、密封本体４１を回動して着脱器具４を連結体２から取り外し、従前の管路状態とするものである。
【００４６】
また本発明は前記した第一の実施例に限定されるものではなく、種々の変更構造を採用することができる。例えば密封取付部（係止突条）２５の形成位置を、筒状部２２の外周とせずに連結体２の筒状部外方のベース部上面や外周面に形成し、着脱器具には、当該密封取付部（係止突条）と対応する密封本体の装着部（間欠突条）を設ければ良いものである。また第二の実施例で説明するように密封取付部に係止突条を採用せずに、ネジによる螺合装着構造を採用しても良い。
【００４７】
密封取付部に螺合装着構造を採用する連結体２ａは、筒状部２２の外周をネジ面に形成して密封取付部２６とし、止着ボルト３６のボルト頭部３６３をそのまま操作部とした付属装置３ａと、下記の第二の実施例の着脱器具５と組み合わせて使用するものである。
【００４８】
第二の実施例として示した着脱器具５は、第一の実施例の着脱器具４と基本的な構成は同一で、密封本体５１と動作部５２を備えたもので、密封本体５１は、所定の容積を備え、下方内周面に前記の密封取付部（ネジ面）２６に対応した装着部５１１を設け、下方部分及び上方部分に排出弁５１２，５１３を付設してなる。
【００４９】
動作部５２は、前記した止着ボルト３６のボルト頭部（操作部）３６３と対応付する嵌合凹部を備えた連結部５２１と、密封本体５１の外方に設けた操作ハンドル５２２と、前記連結部５２１と操作ハンドル５２２とを連結する連結管５２３と、連結管５２３の内部を貫通する開放操作杆５２４で形成してなるものである。
【００５０】
開放操作杆５２４は、上端が操作ハンドル５２２の上方に突出し、下端が連結部５２１より突出可能に設けたもので、連結管５２３内のネジと螺合して上下動可能に組み込んでなる。
【００５１】
前記の着脱器具５を使用して分岐管ｂに装着した空気抜き装置（付属装置）３ａを分岐管ｂから取り外すには、はじめに密封本体５１を密封取付部２６に螺合装着し、密封本体５１内が密閉状態のままで、連結部５２１の嵌合凹部内にボルト頭部（操作部）３６３を嵌合する。
【００５２】
これ以降の手順は第一の実施例と同様に上方排出弁５１３を僅かに開放し、開放操作杆５２４を操作して突出部３４１を押し下げて小透孔３３１を開口する。前記の開口によって管路内液体（水）は密封本体５１内に溢れ出し、密封本体５１内の空気は上方排出弁５１３から放出され、密封本体５１内は管路内液体で満たされ、管路内圧力と密封本体５１内の圧力が平衡する。
【００５３】
そこで操作ハンドル５２２を操作して空気抜き装置（付属装置）３ａを回動すると、外周突部３２１が差入部２４３の位置まで移動する（図１５参照）。
【００５４】
そうすると装着フランジ部３２が、透孔部外縁面２４１と抜け止め突部２４２の間の密嵌状態が解除され、空気抜き装置（付属装置）３ａの取り出しが可能となるので、そのまま操作ハンドル５２２を引き上げ、付属装置３ａを連結体２ａの外方に引き抜いて取り出すことができる（図１６参照）。
【００５５】
尚空気抜き装置（付属装置）３ａの引き上げに際して、上方排出弁５１３を開放すると、密封本体５１内の圧力が開放され空気抜き装置（付属装置）３ａは、管路内圧力で連結体２ａの外方に押し出される。
【００５６】
そして開閉弁装置１を動作させて弁開口部１５を閉じ、下方排出弁５１２を開放して密封本体５１内の排水を行った後、密封本体５１を連結体２ａから分離し、空気抜き装置（付属装置）３ａと共に、分岐管ｂから取り外す。
【００５７】
空気抜き装置（付属装置）３ａの装着は、前記の取り外し操作と逆に、空気抜き装置（付属装置）３ａを密封本体５１内に配置し、密封本体５１を連結体２ａの密封取付部２６に装着し、しかる後開閉弁装置１を動作させて開放し、密封本体５１内を管路内液体で満たした後、空気抜き装置（付属装置）３ａのフロート室（主要部）３１を透孔部２３及び弁開口部１５を通して分岐管ｂ内に挿入し、操作ハンドル５２２の回動操作で空気抜き装置（付属装置）３ａの装着フランジ部３２を所定位置に嵌合し、空気抜き装置（付属装置）３ａの装着を行う。
【００５８】
空気抜き装置（付属装置）３ａの装着後は、密封本体５１内の排水を行って着脱器具５を取り外し、従前の管路状態とするものである。
【００５９】
また図１７，１８に示す第三の実施例のように、連結体の密封取付部を前記の第二の実施例に代えて、上方フランジ部１２に装着する連結ボルトを長尺ボルト（密封取付部）２７とした連結体２ｂを採用し、着脱器具５ａには、前記長尺ボルト（密封取付部）２７に対応する連結用フランジ（装着部）５１４を採用することができる。
【００６０】
前記の着脱器具５ａは、密封本体５１ａの下方開口縁が筒状部２２の上縁に密着するように載置して、長尺ボルト２７によって連結用フランジ（装着部）５１４を装着して、密封本体５１ａの密閉装着を行うようにするものである。
【００６１】
更に図１９，２０に示す通り、開閉弁装置１における上方フランジ部１２を、連結体２ｂのベース部２１となるように、連結体２ｂを開閉弁装置１と一体に形成しても良く、前記上方フランジ部１２（ベース部２１）にボルト孔を設け、当該ボルト孔に長尺ボルト２７を装着し、前記着脱器具５ａを採用することもできる。
【００６２】
また開閉弁装置１（連結体２ｂ）に、開閉弁装置１内（連結体２ｂ内）と連通して、管路内液体を外部に放出できる放出弁機構１６を付設し、他方着脱器具５ａに、密封本体５１ａ内に前記管路内液体を導入できるように前記放出弁機構１６と連結する管路内圧力導入部５１５を設ける。
【００６３】
そうすると前記の第二の実施例における空気抜き装置（付属装置）３ａの取り外し作業と同様に、着脱器具５ａを装着した後、上方排出弁５１３を僅かに開放した状態で、放出弁機構１６を開放して、管路内液体を密封本体５１ａ内に導入すると、密封本体５１ａ内は、管路内液体で満たされ、管路内圧力と密封本体５１ａ内の圧力が平衡し、空気抜き装置（付属装置）３ａに加わる管内圧力が緩和され、空気抜き装置（付属装置）３ａの回動動作に対する抵抗力が軽減され、空気抜き装置（付属装置）３ａの回動操作（取り外し操作）が容易に行えるものである。
【００６４】
勿論第一の実施例の着脱器具４にも、間欠突条を採用した装着部４１１に代えて、長尺ボルトを適用した密封取付部２７と対応する装着部（連結用フランジ）５１４を採用することもできるし、また前記の管路内圧力導入部５１５を採用することもできる。
【００６５】
尚前記の各実施例において付属装置を空気抜き装置３，３ａとしたが、本発明は、その他分岐管を通して本管路に差し入れるゴミ取りフィルターや、本管路内に取り入れ口を設けた各種計測機器の導入部を主要部とする種々の付属装置に適用できるものである。
【００６６】
また開閉弁装置１もボール弁機構に限定されずに、シャッター弁機構のように弁開口部を所定の大径を確保できるものであれば任意の機構を採用することができる。
【００６７】
更に、連結体と付属装置の連結着脱構造、連結体と着脱器具の連結着脱構造、付属装置と着脱器具の連結着脱構造、付属装置の着脱用開放弁と着脱器具の開放操作部の対応構造等は、所定の機能を発揮する構成を具備するものであれば、その具体的構造は任意に定められるものである。
【符号の説明】
【００６８】
ａ      本管（管路）
ｂ      分岐管
ｃ      フランジ
１      開閉弁装置
１１    下方フランジ部
１２    上方フランジ部
１３    ボール弁体
１４    駆動操作部
１５    弁開口部
１６    放出弁機構
２，２ａ，２ｂ    連結体
２１    ベース部
２１１    ボルト孔
２２    筒状部
２３    透孔部
２３１    水封パッキン
２４    取付部（装置取付部）
２４１    透孔部外縁面
２４２    抜け止め突部
２４３    差入部
２５    密封取付部（係止突条）
２６    密封取付部（ネジ面）
２７    長尺ボルト（密封取付部）
３，３ａ      空気抜き装置（付属装置）
３１    フロート室（主要部）
３１１，３１２    空気導入孔
３２    装着フランジ部
３２１    外周突部
３２２    リングパッキン
３３    蓋体
３３１    小透孔
３４    第一フロート
３４１    突出部（着脱用開放弁）
３４２    空気孔部
３５    第二フロート
３６，３６ａ    止着ボルト
３６１    係止用軸部（操作部）
３６２    係止用頭部（操作部）
３６３    ボルト頭部（操作部）
４，５，５ａ    着脱器具
４１，５１，５１ａ    密封本体
４１１    装着部（間欠突条）
５１１    装着部（ネジ面）
５１４    装着部（連結用フランジ）
４１２，５１２    下方排出弁
４１３，５１３    上方排出弁
４１４    内ネジ面
５１４    連結用フランジ
５１５    管路内圧力導入部
４２，５２    動作部
４２１    作動周板
４２２，５２３    連結管
４２３    回転ハンドル
４２４    二重操作管
４２５    係止板
４２６    係止操作レバー
４２７    Ｕ字溝
４２８，５２４    開放操作杆
５２１    連結部
５２２    操作ハンドル
【図１】
0005912488.tif 000002
【図２】
0005912488.tif 000003
【図３】
0005912488.tif 000004
【図４】
0005912488.tif 000005
【図５】
0005912488.tif 000006
【図６】
0005912488.tif 000007
【図７】
0005912488.tif 000008
【図８】
0005912488.tif 000009
【図９】
0005912488.tif 000010
【図１０】
0005912488.tif 000011
【図１１】
0005912488.tif 000012
【図１２】
0005912488.tif 000013
【図１３】
0005912488.tif 000014
【図１４】
0005912488.tif 000015
【図１５】
0005912488.tif 000016
【図１６】
0005912488.tif 000017
【図１７】
0005912488.tif 000018
【図１８】
0005912488.tif 000019
【図１９】
0005912488.tif 000020
【図２０】
0005912488.tif 000021